(57)【要約】      （修正有）【課題】緩勾配の法面における擁壁ブロックの築造の際に、擁壁ブロックの築造作業の作業効率の低下を防ぎ、工期短縮を図ることができる擁壁ブロックの裏型枠を提供する。【解決手段】緩勾配の法面Ｎに同一水平面に敷設される裏型枠１２の上部に前壁１１を載置し、前壁１１と裏型枠１２と間にコンクリートＣを打設して築造される練積み構造の擁壁ブロック１０における裏型枠であり、前壁１１及び裏型枠１２はともにプレキャストコンクリートで形成し、裏型枠１２は所定厚みを有する矩形板状に形成し、裏型枠１２同士の上下の当接面には複数の位置決めピンの挿入孔を形成した。【選択図】図３
0003231219.tif 000002
【実用新案登録請求の範囲】
【請求項１】
緩勾配の法面に同一水平面に敷設される裏型枠の上部に前壁を載置し、前記前壁と前記裏型枠と間にコンクリートを打設して築造される練積み構造の擁壁ブロックにおいて、
前記前壁及び前記裏型枠ともにプレキャストコンクリートで形成し、特に、前記裏型枠は所定厚みを有する矩形板状に形成し、前記裏型枠同士の上下の当接面には複数の位置決めピンの挿入孔を形成したことを特徴とする擁壁ブロックの裏型枠及びこの裏型枠を用いた緩勾配対応の擁壁ブロックの施工方法。
【考案の詳細な説明】
【技術分野】
【０００１】
本考案は、擁壁ブロックの裏型枠に関し、詳しくは、擁壁ブロックの施工現場において、緩勾配の法面に施設される擁壁ブロックの裏型枠及びこの裏型枠を用いた緩勾配対応の擁壁ブロックの施工方法に関する。
【背景技術】
【０００２】
従来、道路や宅地、河川の堤防等の造成地における盛土や切土の法面を土留めするために、プレキャストコンクリート製の練積み構造の擁壁ブロックが用いられる。このような練積み構造の擁壁ブロックの築造においては、まず、法面の傾斜と平行に所定間隔を空けて法面の前方に後壁を立設する。そして、法面と後壁との間にクラッシャラン（粒度砕石）を敷設して転圧して押し固める。次に、法面の前方の下部の地面に敷設した基礎ブロックの上部に擁壁ブロックの前壁を載置し、前壁と後壁との間にコンクリートを打設する。コンクリートが硬化すると、擁壁ブロックの上部にさらに前壁と後壁からなる擁壁ブロックを載置して同じ作業を繰り返すことにより、擁壁ブロックを法面の傾斜面に沿って一段ずつ上方に築造している。
【０００３】
上述したような従来の擁壁ブロックの築造作業では、法面と後壁との間にクラッシャランを転圧する作業や、擁壁ブロックの前壁と後壁との間にコンクリートを打設する作業を行う際に、クラッシャランの転圧やコンクリートの打設による圧力により、基礎ブロックと、この基礎ブロックの上部に載置される擁壁ブロックとの結合にずれが生じて、基礎ブロックの上部に築造される擁壁ブロックが不安定な状態になる場合がある。このため、一段ずつ上部に載置される擁壁ブロックの確実な結合を担保して、作業の効率化や安全性の向上を図ることが重要となる。
【０００４】
このため、側面形状が概略平行四辺形板状である各ブロックの上面には凹陥部を、各ブロックの下面には凸部を形成し、１段目ブロックの上に複数のブロックを凹陥部に凸部が嵌合するように、かつ、各ブロックの正面、背面及び左右側面がそれぞれほぼ同一平面となるように積み重ねることで、小口壁を構築する際の現場作業を軽減し、短期間に構築することを実現することが開示されている。（特許文献１参照。）
【先行技術文献】
【特許文献】
【０００５】
【特許文献１】特開２００３−３２８３７５号公報
【考案の概要】
【考案が解決しようとする課題】
【０００６】
特許文献１に記載の小口壁のブロックは、河川などの護岸、道路法面や急勾配の傾斜面（法面）の路面の地盤の安定のために設けられる擁壁の端部作業の効率化や安全性の向上を図ることはできる。
【０００７】
しかしながら、上述したような擁壁ブロックの築造作業は、急勾配（例えば、勾配が３分〜５分）の法面（傾斜面）に擁壁ブロックの施工作業を行うものであり、緩勾配（１割（４５度）以下の場合は、擁壁ブロックを積み上げた場合、擁壁ブロックの重量の負荷が急勾配よりも多く法面にかかるため擁壁ブロックの不当沈下を生じ易い。このため、擁壁ブロックの表面を面一にするのに手間がかかる。
【０００８】
また、緩勾配の法面における擁壁ブロックの築造では、旧式の擁壁ブロックの築造が行われる場合もある。すなわち、緩勾配の法面の表面にクラッシャラン（粒度砕石）を敷設して表面を転圧して押し固める。次に、裏型枠として型枠用ベニヤ板や裏型枠用建設資材を敷設し、その上に擁壁ブロックを載置する。そして、擁壁ブロックと裏型枠との間にコンクリート（生コン）を打設してコンクリートが硬化した後に、その都度裏型枠を引き抜いて回収し、この作業を繰り返して緩勾配の法面に擁壁ブロックの築造していた。
【０００９】
この場合でも、裏型枠として用いられる型枠用ベニヤ板は、例えば、１０ｍｍ以下の薄板のため、擁壁ブロックを載置した際の重量の負荷により、法面に擁壁ブロックの不当沈下を生じ、擁壁ブロックの表面を面一にするのに手間がかかるばかりか、型枠用ベニヤ板を引き抜く作業も加わるため、擁壁ブロックの築造の作業効率が低下して工期延長につながる虞がある。
【００１０】
また、旧式の擁壁ブロックの築造で裏型枠として用いられる型枠用ベニヤ板は、そのまま地中に残すと時間が経過すると腐敗するので、擁壁ブロックと裏型枠との間に打設したコンクリートが硬化した後に、その都度型枠用ベニヤ板を引き抜いて回収し、型枠用ベニヤ板に付着したコンクリートの除去作業をした後、次の段の擁壁ブロックの築造に再利用する。しかしながら、擁壁ブロックの築造が終了すると、型枠用ベニヤ板は次の擁壁ブロックの築造現場では使用されず産業廃棄物として破棄されるため、処分のための余計な経費が発生する。
【００１１】
本考案は、上記課題を解決するために、緩勾配の法面における擁壁ブロックの築造の際に、擁壁ブロックの築造の作業効率の低下を防ぎ、工期短縮を図ることができる擁壁ブロックの裏型枠及びこの裏型枠を用いた緩勾配対応の擁壁ブロックの施工方法を提供することを目的とする。
【課題を解決するための手段】
【００１２】
本考案は、緩勾配の法面に同一水平面に敷設される裏型枠の上部に前壁を載置し、前記前壁と前記裏型枠と間にコンクリートを打設して築造される練積み構造の擁壁ブロックにおいて、前記前壁及び前記裏型枠ともにプレキャストコンクリートで形成し、特に、前記裏型枠は所定厚みを有する矩形板状に形成し、前記裏型枠同士の上下の当接面には複数の位置決めピンの挿入孔を形成したことを特徴とする擁壁ブロックの裏型枠及びこの裏型枠を用いた緩勾配対応の擁壁ブロックの施工方法とした。
【考案の効果】
【００１３】
本考案は、緩勾配の法面の同一水平面に敷設される裏型枠を、所定厚み（例えば、３０ｍｍ）を有する矩形板状のプレキャストコンクリートで形成している。このため、クラッシャラン（粒度砕石）を敷設して転圧した緩勾配の法面の表面に、裏型枠を敷設し、さらに、当該裏型枠の上部に前壁を載置した場合に、前壁を載置した際の重量の負荷により法面に不当沈下を生じることを可及的に低く抑えることができる。また、裏型枠は、プレキャストコンクリート製のため、前壁と裏型枠との間にコンクリートを打設した後に、地中にそのまま残すことができるので、緩勾配の法面における旧式の擁壁ブロックの築造のように、木製の型枠用ベニヤ板を回収（又は、破棄）する作業が不要で、作業効率の向上を図ることができる。
【００１４】
また、裏型枠同士の上下の当接面には複数の位置決めピンの挿入孔を形成している。そして、複数の位置決めピンを介して裏型枠同士を位置決めして敷設するため、上方に裏型枠を連続して敷設する場合に、裏型枠間の不当沈下による段差が形成されることを防ぐことができる。これにより、裏型枠の上部に載置される前壁（擁壁ブロック）の表面を面一にする際の微調整を容易に行うことができる。
【００１５】
すなわち、本考案の緩勾配に対応した擁壁ブロックの裏型枠及びこの裏型枠を用いた緩勾配対応の擁壁ブロックの施工方法によれば、緩勾配の法面における擁壁ブロックの築造作業の作業効率の向上を図ることができ、工期の短縮を図ることが可能となる。
【図面の簡単な説明】
【００１６】
【図１】本実施形態に係る擁壁ブロックの外観を示す斜視図である。
【図２】本実施形態に係る擁壁ブロックの施工方法を説明する側面図である。
【図３】本実施形態に係る擁壁ブロックの施工方法を説明する側面図である。
【図４】本実施形態に係る擁壁ブロックの施工状態を説明する側面図である。
【図５】本実施形態に係る擁壁ブロックの施工状態を説明する斜視図である。
【考案を実施するための形態】
【００１７】
以下、本考案の実施形態を図面に基づき詳説する。なお、以下の説明では、道路や宅地、河川の堤防等の盛土や切土による造成地における緩勾配の法面を土留めするために、プレキャストコンクリート製の小型の擁壁ブロックを、法面の緩勾配の傾斜面に沿って築造する施工を一例として説明する。図１は、本実施形態に係る擁壁ブロックの外観を示す斜視図である。図２及び図３は、本実施形態に係る擁壁ブロックの施工方法を説明する側面図である。図４は、本実施形態に係る擁壁ブロックの施工状態を説明する側面図である。図５は、本実施形態に係る擁壁ブロックの施工状態を説明する斜視図である。
【００１８】
本実施形態の擁壁ブロック１０は、図１に示すように、上部が後方に所定の傾斜角度（緩勾配であり１割（４５度）以下の勾配）で緩傾斜し、前面に化粧面（図示せず）を有し、前壁１１の後面から後方に垂直に突出した二本の控壁１３と一体に形成されたコンクリート（プレキャストコンクリート）製の矩形状（長方形の板状）の前壁１１と、この前壁１１の後方に平行に対向配置される前壁１１と略同形状のコンクリート製の矩形状（長方形の平板状）の裏型枠１２とにより構成されている。
【００１９】
矩形板状の前壁１１及び裏型枠１２の大きさは、小型の擁壁ブロック１０のサイズであり、一例として、長手方向（幅）は１２３０ｍｍ、短手方向（高さ）は３９０ｍｍである。また、二本の控壁１３は、前壁１１の後面１１ｂの水平方向の両端から等間隔を隔てて対向する裏型枠１２側に突出して設けられている。前壁１１と一体に形成されている二本の控壁１３の控長（つまり、後方への長さ）は、小型の擁壁ブロック１０で規定されている標準の控長（例えば、３５０ｍｍ）である。
【００２０】
本実施形態においては、裏型枠１２は、所定厚み（例えば、３０ｍｍ）を有する矩形板状のコンクリートで形成されている。そして、詳細は後述するが、クラッシャラン（粒度砕石）を敷設して転圧した緩勾配の法面の表面に敷設される。このように、裏型枠１２を所定厚み（例えば、３０ｍｍ）を有する矩形板状のコンクリートで形成することで、緩勾配の法面の表面に裏型枠１２を敷設した後、その上部に前壁１１を載置した場合でも、前壁１１の重量の負荷による法面の表面（転圧されたクラッシャラン）における裏型枠１２の不当沈下を可及的に低く抑えることができる。
【００２１】
また、裏型枠１２の上下の当接面には、複数（２箇所）の位置決めピン１２ｂの挿入孔１２ａが、矩形板状の短手方向の両端から所定距離を離間して形成されている。この複数（２箇所）の位置決めピン１２ｂの挿入孔１２ａに位置決めピン１２ｂを挿入して裏型枠１２同士を位置決めして敷設することで、上方に裏型枠１２を一段ずつ敷設する場合に、裏型枠１２間の段差が形成されることを防ぐことができる。これにより、裏型枠１２の上部に載置される前壁１１の前面を面一にする際の微調整を容易に行うことができる。
【００２２】
以下、図２〜図５を参照して、本実施形態の擁壁ブロック１０の施工、つまり、水平方向に一段ずつ上方への築造を説明する。
【００２３】
図２（ａ）に示すように、擁壁ブロック１０を築造する法面Ｎ前方の地面Ｇには基礎ブロック１が埋設されている。そして、基礎ブロック１の上方の緩勾配の法面Ｎには、クラッシャランＳが敷設されて法面Ｎ側に転圧されている。そして、図２（ｂ）に示すように、一段目の裏型枠１２がクラッシャランＳの表面に敷設される。図中は斜視図であるが、この裏型枠１２は、擁壁ブロック１０を築造する水平方向に複数枚、裏型枠１２の矩形板状の短手方向を当接させた状態で敷設される。
【００２４】
続いて、図３（ａ）に示すように、一段目の裏型枠１２の上部に一段目の前壁１１が載置される。図中は斜視図であるが、この前壁１１は、擁壁ブロック１０を築造する水平方向に複数枚、前壁１１の矩形板状の短手方向を当接させた状態で載置される。そして、図３（ｂ）に示すように、前壁１１と裏型枠１２の間にコンクリート（生コン）を打設する。そして、前壁１１と裏型枠１２の間に打設されたコンクリートが硬化すると、図３（ｂ）に示すように、２段目の擁壁ブロック１０の裏型枠１２を一段目の擁壁ブロック１０の裏型枠１２の上部にそれぞれ載置する。
【００２５】
このとき、一段目（下段）の裏型枠１２の上面には、上部に載置する二段目の裏型枠１２の下面の載置位置を位置決めするための位置決めピン１２ｂの挿入孔１２ａが２箇所形成されている。下段の裏型枠１２の上面と当接する上段の裏型枠１２の下面には、下段の擁壁ブロック１０の裏型枠１２の上面に設けられた位置決めピン１２ｂの挿入孔１２ａと対抗する位置に位置決めピン１２ｂの挿入孔１２ａが形成されている。この上下の位置決めピン１２ｂの挿入孔１２ａに位置決めピン１２ｂ（例えば、プラスチック製の連結ピン）を挿入して、上下の擁壁ブロック１０の裏型枠１２の敷設位置を位置決めする。
【００２６】
なお、裏型枠１２の上下面に設けられた位置決めピン１２ｂの挿入孔１２ａは、裏型枠１２の上下面にそれぞれ２箇所以上設けることが望ましい。これにより、裏型枠１２の上下面に設けられた挿入孔１２ａを、複数の位置決めピン１２ｂを介して位置合わせすることで、上段に載置する裏型枠１２の位置決めを容易に行うことができる。また、上方に裏型枠１２を一段ずつ敷設する場合に、裏型枠１２間の段差が形成されることを防ぐことができる。
【００２７】
このように、図２及び図３に示す工程を繰り返すことで、図４に示すように、緩勾配の法面Ｎに沿って上方に一段ずつ複数（図中は６段）の擁壁ブロック１０が緩勾配の法面Ｎの表面に築造される。図４に示すように、最上段の擁壁ブロック１０の上部は、法面Ｎの路肩を保護するコンクリート製の路肩ブロック２が載置されて固定される。
【００２８】
そして、図５に示すように、土留めしたい緩勾配の法面Ｎの上端から下端に亘る施工面に、雨水等による法面Ｎの崩壊を防ぐように擁壁ブロック１０が設置される。このとき、一段目の前壁１１とその上部に設置される２段目の前壁１１は、その長手方向の当接面が、法面Ｎの垂直方向に重ならないように設置されている。つまり、図５に示すように、一段目の前壁１１の水平方向の両端に、長手方向に略半分の長さの前壁１１ａを配設することで、前壁１１の長手方向の当接面を垂直方向に一直線に重ならないようにしている。
【００２９】
このように、１段ごとに長手方向に略半分の長さの前壁１１ａを配設することで、緩勾配の法面Ｎの上端から下端に亘って全面に設置された、前壁１１の長手方向の当接面が垂直方向に一直線に重ならないようにすることができる。これにより、地震等の上下の振動に対する擁壁ブロック１０の耐震度が向上し、地震等の上下方向の振動により容易に崩壊することのない擁壁ブロック１０とすることができる。
【００３０】
上述してきたように、本実施形態の裏型枠１２を用いた擁壁ブロックの施工方法によれば、緩勾配の法面における擁壁ブロックの築造作業の作業効率の向上を図ることができ、工期の短縮を図ることが可能となる。
【００３１】
また、上述してきた実施形態では、上部が後方に所定の傾斜角度（緩勾配）で傾斜した前壁１１及び裏型枠１２を有する擁壁ブロック１０を一例として説明してきたが、この傾斜角度は、法面Ｎの傾斜角度に応じた角度であればよい。
【００３２】
以上、本考案の好ましい実施の形態について説明したが、本考案は係る特定の実施形態に限定されるものではなく、特許請求の範囲に記載された本考案の要旨の範囲内において、種々の変形・変更が可能である。
【符号の説明】
【００３３】
１    基礎ブロック
２    路肩ブロック
１０  擁壁ブロック
１１  前壁
１２  裏型枠
１２ａ  挿入孔
１２ｂ  位置決めピン
１３  控壁
Ｇ    地面
Ｎ    法面
Ｓ    クラッシャラン
Ｃ    コンクリート
【図１】
0003231219.tif 000003
【図２】
0003231219.tif 000004
【図３】
0003231219.tif 000005
【図４】
0003231219.tif 000006
【図５】
0003231219.tif 000007
【手続補正書】
【提出日】令和3年1月15日(2021.1.15)
【手続補正１】
【補正対象書類名】実用新案登録請求の範囲
【補正対象項目名】全文
【補正方法】変更
【補正の内容】
【実用新案登録請求の範囲】
【請求項１】
緩勾配の法面に同一水平面に敷設される裏型枠の上部に前壁を載置し、前記前壁と前記裏型枠と間にコンクリートを打設して築造される練積み構造の擁壁ブロックにおいて、
前記前壁及び前記裏型枠ともにプレキャストコンクリートで形成し、特に、前記裏型枠は所定厚みを有する矩形板状に形成し、前記裏型枠同士の上下の当接面には複数の位置決めピンの挿入孔を形成したことを特徴とする緩勾配対応の擁壁ブロックの裏型枠。
【手続補正２】
【補正対象書類名】明細書
【補正対象項目名】０００１
【補正方法】変更
【補正の内容】
【０００１】
本考案は、擁壁ブロックの裏型枠に関し、詳しくは、擁壁ブロックの施工現場において、緩勾配の法面に施設される擁壁ブロックの裏型枠に関する。
【手続補正３】
【補正対象書類名】明細書
【補正対象項目名】００１１
【補正方法】変更
【補正の内容】
【００１１】
本考案は、上記課題を解決するために、緩勾配の法面における擁壁ブロックの築造の際に、擁壁ブロックの築造の作業効率の低下を防ぎ、工期短縮を図ることができる擁壁ブロックの裏型枠を提供することを目的とする。
【手続補正４】
【補正対象書類名】明細書
【補正対象項目名】００１２
【補正方法】変更
【補正の内容】
【００１２】
本考案は、緩勾配の法面に同一水平面に敷設される裏型枠の上部に前壁を載置し、前記前壁と前記裏型枠と間にコンクリートを打設して築造される練積み構造の擁壁ブロックにおいて、前記前壁及び前記裏型枠ともにプレキャストコンクリートで形成し、特に、前記裏型枠は所定厚みを有する矩形板状に形成し、前記裏型枠同士の上下の当接面には複数の位置決めピンの挿入孔を形成したことを特徴とする緩勾配対応の擁壁ブロックの裏型枠とした。
【手続補正５】
【補正対象書類名】明細書
【補正対象項目名】００１５
【補正方法】変更
【補正の内容】
【００１５】
すなわち、本考案の緩勾配に対応した擁壁ブロックの裏型枠によれば、緩勾配の法面における擁壁ブロックの築造作業の作業効率の向上を図ることができ、工期の短縮を図ることが可能となる。